(57)【要約】【課題】発表者が質問に関連するプレゼンテーション画像の箇所を探し出す作業を不要とするとともに、たとえ聴講者の数が多い場合でも質疑応答を円滑に進めることができるようにすること。【解決手段】通信部２２が、プレゼンテーション画像についての質問情報を端末装置３０ａから受信し、受信した質問情報を他の端末装置に送信し、他の端末装置から追加の質問情報を受信し、記憶部２３が、質問情報、および、追加の質問情報を記憶し、表示制御部２６が、プレゼンテーション画像、質問情報、および、追加の質問情報の表示装置１０における表示を制御する。【選択図】図２
2014021808.tif 000002
【特許請求の範囲】
【請求項１】
表示装置におけるプレゼンテーション画像の表示を制御する表示制御装置であって、
前記プレゼンテーション画像についての質問情報を端末装置から受信し、受信した質問情報を他の端末装置に送信し、該他の端末装置から追加の質問情報を受信する通信部と、
前記質問情報、および、前記追加の質問情報を記憶する記憶部と、
前記プレゼンテーション画像、前記質問情報、および、前記追加の質問情報の前記表示装置における表示を制御する表示制御部と、
を備えることを特徴とする表示制御装置。
【請求項２】
前記表示制御部は、前記質問情報、および、前記追加の質問情報の双方を、前記プレゼンテーション画像に重畳して前記表示装置に表示させることを特徴とする請求項１に記載の表示制御装置。
【請求項３】
前記表示制御部は、前記通信部が複数の質問情報を受信した場合に、各質問情報のそれぞれを前記プレゼンテーション画像に重畳して、前記表示装置に順次表示させることを特徴とする請求項１に記載の表示制御装置。
【請求項４】
プレゼンテーション画像を表示する表示装置と、該表示装置におけるプレゼンテーション画像の表示を制御する表示制御装置と、前記プレゼンテーション画像についての質問情報を送信する端末装置とを備えるプレゼンテーション支援システムであって、
前記表示制御装置は、
前記プレゼンテーション画像についての質問情報を端末装置から受信し、受信した質問情報を他の端末装置に送信し、該他の端末装置から追加の質問情報を受信する通信部と、
前記質問情報および前記追加の質問情報を記憶する記憶部と、
前記プレゼンテーション画像、前記質問情報、および、前記追加の質問情報の前記表示装置における表示を制御する表示制御部と、
を備え、
前記端末装置は、
前記追加の質問情報の入力を受け付ける操作部と、
前記質問情報を前記表示制御装置から受信した場合に、前記操作部が受け付けた追加の質問情報を前記表示制御装置に送信する通信部と、
を備えることを特徴とするプレゼンテーション支援システム。
【請求項５】
表示装置におけるプレゼンテーション画像の表示を制御する表示制御方法であって、
前記プレゼンテーション画像についての質問情報を端末装置から受信する第１の受信ステップと、
該第１の受信ステップにおいて受信した質問情報を記憶する第１の記憶ステップと、
該第１の記憶ステップにおいて記憶した質問情報を他の端末装置に送信し、該他の端末装置から追加の質問情報を受信する第２の受信ステップと、
該第２の受信ステップにおいて受信した追加の質問情報を記憶する第２の記憶ステップと、
前記プレゼンテーション画像、前記質問情報、および、前記追加の質問情報の前記表示装置における表示を制御する表示制御ステップと、
を含むことを特徴とする表示制御方法。
【請求項６】
表示装置におけるプレゼンテーション画像の表示を制御する表示制御プログラムであって、
コンピュータに、
前記プレゼンテーション画像についての質問情報を端末装置から受信する第１の受信ステップと、
該第１の受信ステップにおいて受信した質問情報を記憶する第１の記憶ステップと、
該第１の記憶ステップにおいて記憶した質問情報を他の端末装置に送信し、該他の端末装置から追加の質問情報を受信する第２の受信ステップと、
該第２の受信ステップにおいて受信した追加の質問情報を記憶する第２の記憶ステップと、
前記プレゼンテーション画像、前記質問情報、および、前記追加の質問情報の前記表示装置における表示を制御する表示制御ステップと、
を実行させることを特徴とする表示制御プログラム。
【発明の詳細な説明】
【技術分野】
【０００１】
本発明は、表示制御装置、プレゼンテーション支援システム、表示制御方法、および、表示制御プログラムに関し、詳しくは、表示装置におけるプレゼンテーション画像の表示を制御する表示制御装置、プレゼンテーション画像を表示する表示装置と、その表示装置におけるプレゼンテーション画像の表示を制御する表示制御装置と、プレゼンテーション画像についての質問情報を送信する端末装置とを備えるプレゼンテーション支援システム、表示装置におけるプレゼンテーション画像の表示を制御する表示制御方法、および、表示制御プログラムに関する。
【背景技術】
【０００２】
一般に、学会発表などでは、発表者は、プロジェクタでプレゼンテーションの資料をスクリーンに投影しながらプレゼンテーションを行う。そして、質疑応答の時間は、そのプレゼンテーションの終了時間が遅延しないように、そのプレゼンテーションの終了後に設けられる。
【０００３】
しかし、質問がプレゼンテーションの資料に関連するものである場合、発表者はプレゼンテーションの資料において質問に関連する箇所を探し出す必要が生じ、探し出すのに手間取ったりすると、質疑応答の時間が失われるという問題がある。
【０００４】
特許文献１には、このような問題を解決可能な画像表示装置が開示されている。この画像表示装置は、画像を順次表示している間に、その画像に関連して質問をする聴講者の聴講者用リモコンから、聴講者リモコンの識別情報を受信する。そして、画像表示装置は、その識別情報とそのとき表示されている画像のページ情報とを関連付けて記憶しておき、質疑応答時に、その画像を識別情報とともに再表示する。
【０００５】
発表者は、その識別情報により特定される聴講者用リモコンを有する聴講者を指名し、その聴講者に質問をさせる。その際、その質問に関連する画像はすでに表示されているので、発表者はその画像を探す作業を省くことができ、質問応答の時間が失われるといった問題も解消される。
【先行技術文献】
【特許文献】
【０００６】
【特許文献１】特開２００２−３５１４３４号公報
【発明の概要】
【発明が解決しようとする課題】
【０００７】
しかしながら、上述した特許文献１の従来技術では、質問をする聴講者が他の聴講者の質問を把握することができないため、ある画像が表示されている間に、同じような質問をする複数の聴講者が聴講者用リモコンを操作して、聴講者用リモコンの識別情報を送信する可能性がある。
【０００８】
この場合、質疑応答時に、複数の識別情報が表示されるので、発表者は同じような質問をする複数の聴講者を指名することになり、質疑応答を円滑に進めることが難しくなる。このような問題は、聴講者の数が多くなるほど顕著なものとなる。
【０００９】
本発明は、上記実情に鑑み、発表者が質問に関連するプレゼンテーション画像の箇所を探し出す作業を不要とするとともに、たとえ聴講者の数が多い場合でも質疑応答を円滑に進めることを可能とする表示制御装置、プレゼンテーション支援システム、表示制御方法、および、表示制御プログラムを提供することを目的とする。
【課題を解決するための手段】
【００１０】
上記課題を解決する為に、本発明の第１の技術手段は、表示装置におけるプレゼンテーション画像の表示を制御する表示制御装置であって、前記プレゼンテーション画像についての質問情報を端末装置から受信し、受信した質問情報を他の端末装置に送信し、該他の端末装置から追加の質問情報を受信する通信部と、前記質問情報、および、前記追加の質問情報を記憶する記憶部と、前記プレゼンテーション画像、前記質問情報、および、前記追加の質問情報の前記表示装置における表示を制御する表示制御部と、を備えることを特徴とする。
【００１１】
本発明の第２の技術手段は、第１の技術手段において、前記表示制御部は、前記質問情報、および、前記追加の質問情報の双方を、前記プレゼンテーション画像に重畳して前記表示装置に表示させることを特徴とする。
【００１２】
本発明の第３の技術手段は、第１の技術手段において、前記表示制御部は、前記通信部が複数の質問情報を受信した場合に、各質問情報のそれぞれを前記プレゼンテーション画像に重畳して、前記表示装置に順次表示させることを特徴とする。
【００１３】
本発明の第４の技術手段は、プレゼンテーション画像を表示する表示装置と、該表示装置におけるプレゼンテーション画像の表示を制御する表示制御装置と、前記プレゼンテーション画像についての質問情報を送信する端末装置とを備えるプレゼンテーション支援システムであって、前記表示制御装置は、前記プレゼンテーション画像についての質問情報を端末装置から受信し、受信した質問情報を他の端末装置に送信し、該他の端末装置から追加の質問情報を受信する通信部と、前記質問情報および前記追加の質問情報を記憶する記憶部と、前記プレゼンテーション画像、前記質問情報、および、前記追加の質問情報の前記表示装置における表示を制御する表示制御部と、を備え、前記端末装置は、前記追加の質問情報の入力を受け付ける操作部と、前記質問情報を前記表示制御装置から受信した場合に、前記操作部が受け付けた追加の質問情報を前記表示制御装置に送信する通信部と、を備えることを特徴とする。
【００１４】
本発明の第５の技術手段は、表示装置におけるプレゼンテーション画像の表示を制御する表示制御方法であって、前記プレゼンテーション画像についての質問情報を端末装置から受信する第１の受信ステップと、該第１の受信ステップにおいて受信した質問情報を記憶する第１の記憶ステップと、該第１の記憶ステップにおいて記憶した質問情報を他の端末装置に送信し、該他の端末装置から追加の質問情報を受信する第２の受信ステップと、該第２の受信ステップにおいて受信した追加の質問情報を記憶する第２の記憶ステップと、前記プレゼンテーション画像、前記質問情報、および、前記追加の質問情報の前記表示装置における表示を制御する表示制御ステップと、を含むことを特徴とする。
【００１５】
本発明の第６の技術手段は、表示装置におけるプレゼンテーション画像の表示を制御する表示制御プログラムであって、コンピュータに、前記プレゼンテーション画像についての質問情報を端末装置から受信する第１の受信ステップと、該第１の受信ステップにおいて受信した質問情報を記憶する第１の記憶ステップと、該第１の記憶ステップにおいて記憶した質問情報を他の端末装置に送信し、該他の端末装置から追加の質問情報を受信する第２の受信ステップと、該第２の受信ステップにおいて受信した追加の質問情報を記憶する第２の記憶ステップと、前記プレゼンテーション画像、前記質問情報、および、前記追加の質問情報の前記表示装置における表示を制御する表示制御ステップと、を実行させることを特徴とする。
【発明の効果】
【００１６】
本発明によれば、プレゼンテーション画像についての質問情報を端末装置から受信し、受信した質問情報を記憶し、記憶した質問情報を他の端末装置に送信し、他の端末装置から追加の質問情報を受信し、受信した追加の質問情報を記憶し、プレゼンテーション画像、質問情報、および、追加の質問情報の表示装置における表示を制御することとしたので、質問に関連するプレゼンテーション画像の箇所を発表者が探し出す作業が不要となるとともに、たとえ聴講者の数が多い場合でも質疑応答を円滑に進めることが可能となる。また、質問しようとする聴講者は、他の聴講者の質問を把握できるため、質問内容をより充実させることができる。
【図面の簡単な説明】
【００１７】
【図１】本発明の実施形態に係るプレゼンテーション支援システムの構成の一例を示す図である。
【図２】本発明の実施形態に係る表示装置、表示制御装置、端末装置の機能構成の一例を示す図である。
【図３】レイヤデータの一例を示す図である。
【図４】プレゼンテーション画像と質問画像の関係について説明する図である。
【図５】表示装置における画像の表示の一例について説明する図である。
【図６】質問の入力を受け付ける質問画面について説明する図である。
【図７】端末装置が追加の質問の入力を受け付ける処理について説明する図である。
【図８】本発明の実施形態に係るプレゼンテーション支援処理の処理手順の一例について示すフローチャートである。
【図９】本発明の実施形態に係るプレゼンテーション支援処理の処理手順の一例について示すフローチャートである。
【発明を実施するための形態】
【００１８】
以下、本発明の実施形態について図面を参照して詳細に説明する。図１は、本発明の実施形態に係るプレゼンテーション支援システムの構成の一例を示す図である。プレゼンテーション支援システムは、表示装置１０、表示制御装置２０、端末装置３０ａ〜３０ｅを備える。
【００１９】
表示装置１０は、画像を表示する装置である。例えば、表示装置１０として、比較的大型の液晶ディスプレイなどが用いられる。表示制御装置２０は、表示装置１０における画像の表示を制御するサーバコンピュータなどの装置である。端末装置３０ａ〜３０ｅは、表示制御装置２０に質問情報を送信するパーソナルコンピュータやタブレット端末などの装置である。
【００２０】
なお、ここでは、端末装置３０ａ〜３０ｅが５台である場合を示しているが、これに限定されるものではない。また、表示制御装置２０と端末装置３０ａ〜３０ｅとの間の通信接続は、有線接続であってもよく、無線接続であってもよい。また、表示装置１０は、各端末装置３０ａ〜３０ｅを有する聴講者から、画面が見える位置に配置されることが望ましい。ただし、後述するように、各端末装置３０ａ〜３０ｅは、表示装置１０に表示される画像と同じ画像を表示することができるので、端末装置３０ａ〜３０ｅがある位置から画面が直接見えない位置に表示装置１０を配置することとしてもよい。
【００２１】
本発明に係るプレゼンテーション支援処理では、プレゼンテーションが行われている間に、表示制御装置２０が、プレゼンテーション画像についての質問情報を端末装置３０ａ〜３０ｅから受信する。そして、表示制御装置２０は、受信した質問情報を、その質問情報を送信した端末装置３０ａ〜３０ｅとは異なる端末装置３０ａ〜３０ｅに送信する。
【００２２】
そして、その質問情報を受信した端末装置３０ａ〜３０ｅは、質問情報を表示し、聴講者が質問情報を閲覧できるようにする。その後、端末装置３０ａ〜３０ｅは、聴講者から、追加の質問情報の入力を受け付け、受け付けた追加の質問情報を表示制御装置２０に送信する。
【００２３】
そして、質疑応答の時間となった場合、表示制御装置２０は、質問情報、および、追加の質問情報を、それらの質問情報に対応するプレゼンテーション画像とともに、表示装置１０に表示させる。
【００２４】
これにより、質問情報に関連するプレゼンテーション画像の箇所を発表者が探し出す作業が不要となる。また、聴講者は最初に受け付けた質問情報を見た上で追加の質問ができるため、重複した質問が減り、たとえ聴講者の数が多い場合でも質疑応答を円滑に進めることが可能となる。
【００２５】
つぎに、本発明の実施形態に係る表示装置１０、表示制御装置２０、端末装置３０ａ〜３０ｅの機能構成について説明する。図２は、本発明の実施形態に係る表示装置１０、表示制御装置２０、端末装置３０ａの機能構成の一例を示す図である。なお、各端末装置３０ａ〜３０ｅは、同様の構成を有するので、ここでは端末装置３０ａについてのみ説明する。
【００２６】
図２に示すように、表示装置１０は、入力インターフェース部１１、制御部１２、表示部１３を備える。入力インターフェース部１１は、ＨＤＭＩ（High-Definition Multimedia Interface）やＤＶＩ（Digital Visual Interface）などの規格に基づき、表示制御装置２０から画像データの入力を受け付ける処理部である。
【００２７】
制御部１２は、表示制御装置２０から受け付けた画像データの表示部１３における表示を制御する処理部である。表示部１３は、比較的大型の液晶ディスプレイなどの表示デバイスである。
【００２８】
表示制御装置２０は、出力インターフェース部２１、通信部２２、記憶部２３、レイヤ情報管理部２４、画像生成部２５、表示制御部２６を備える。
【００２９】
出力インターフェース部２１は、ＨＤＭＩやＤＶＩなどの規格に基づき、表示装置１０に画像データを出力する処理部である。通信部２２は、ＬＡＮ（Local Area Network）などのネットワークを介して、端末装置３０ａとの間で通信を行う処理部である。
【００３０】
記憶部２３は、メモリやハードディスク装置などの記憶デバイスである。記憶部２３は、レイヤデータ２３ａ、画像データ２３ｂ、プログラムデータ２３ｃなどを記憶する。レイヤデータ２３ａは、表示装置１０に表示される各画像のレイヤの情報が登録されたデータである。
【００３１】
図３は、レイヤデータ２３ａの一例を示す図である。図３に示すように、レイヤデータ２３ａには、画像名、レイヤ番号、ファイル名の情報が登録される。画像名は、各画像の名称の情報である。
【００３２】
画像には、１以上のページからなるプレゼンテーション画像と、プレゼンテーション画像に対してなされた質問の質問画像が含まれる。そして、レイヤデータ２３ａには、プレゼンテーション画像の各ページに対応付けて、そのページの内容についてなされた質問の質問画像が登録される。
【００３３】
図３の例では、プレゼンテーション画像の１ページ目の画像に対応付けて、質問画像１〜５が登録され、プレゼンテーション画像の２ページ目の画像に対応付けて、質問画像６〜８が登録され、プレゼンテーション画像の３ページ目の画像に対応付けて、質問画像９が登録されている。
【００３４】
レイヤ番号は、各画像のレイヤの情報である。あるプレゼンテーション画像のページに関連する質問画像を端末装置３０ａ〜３０ｅから受信するたびに、質問画像のレイヤ番号が１ずつ増加する。ファイル名は、各画像のファイル名の情報である。
【００３５】
図４は、プレゼンテーション画像と質問画像の関係について説明する図である。プレゼンテーションが始まると、プレゼンテーション画像４０が表示制御装置２０から各端末装置３０ａ〜３０ｅに送信される。すると、端末装置３０ａ〜３０ｅの画面４１ａ〜４１ｅには、プレゼンテーション画像４０が表示されるとともに、プレゼンテーション画像４０の前面に新たなレイヤが生成される。
【００３６】
ここで、例えば、端末装置３０ａ〜３０ｄを操作する聴講者が、端末装置３０ａ〜３０ｄを操作して、プレゼンテーション画像４０に関連する質問を新たなレイヤに書き込んだとする。
【００３７】
この場合、端末装置３０ａ〜３０ｄは、新たなレイヤに書き込まれた質問を質問画像４２ａ〜４２ｄのデータとして表示制御装置２０に送信する。この質問画像４２ａ〜４２ｄのデータを受信した表示制御装置２０は、質問画像４２ａ〜４２ｄのデータを送信した端末装置３０ａ〜３０ｄ以外の端末装置３０ａ〜３０ｅに、質問画像４２ａ〜４２ｄのデータを転送する。例えば、表示制御装置２０は、質問画像４２ａのデータを、質問画像４２ａのデータを送信した端末装置３０ａ以外の端末装置３０ｂ〜３０ｅに転送する。
【００３８】
そして、質問画像４２ａ〜４２ｄのデータを受信した端末装置３０ａ〜３０ｅは、その質問画像４２ａ〜４２ｄを表示し、聴講者が質問画像４２ａ〜４２ｄを閲覧できるようにするとともに、聴講者から追加の質問を受け付ける。
【００３９】
この場合、質問画像４２ａ〜４２ｄの前面に新たなレイヤが生成され、そのレイヤにおいて追加の質問が受け付けられる。そして、そのレイヤにおいて受け付けた追加の質問の画像と、追加の質問に対応するもとの質問の画像４２ａ〜４２ｄとが合成され、その結果得られた画像が表示制御装置２０に送信される。
【００４０】
図４には、画面４１ｅとして、表示制御装置２０から送信された質問画像４２ａに追加の質問がなされた場合の画面例が示されており、また、質問画像４２ｅとして、追加の質問の画像と、追加の質問に対応するもとの質問の画像４２ａとが合成された結果得られた画像例が示されている。
【００４１】
これらの質問画像４２ａ〜４２ｅを受信した表示制御装置２０は、質疑応答時に、各質問画像４２ａ〜４２ｅを、各質問画像４２ａ〜４２ｅに対応するプレゼンテーション画像に重畳して、表示装置１０に表示させる。
【００４２】
図２の説明に戻ると、画像データ２３ｂは、プレゼンテーション画像や、端末装置３０ａ〜３０ｅから送信された質問画像４２ａ〜４２ｅなどの画像データである。プログラムデータ２３ｃは、表示制御装置２０が備えるハードウェア各部の動作を制御し、表示制御装置２０に表示制御処理を実行させるための制御プログラムである。
【００４３】
レイヤ情報管理部２４は、各端末装置３０ａ〜３０ｅから送信される質問画像４２ａ〜４２ｅのデータを記憶部２３に画像データ２３ｂとして記憶させるとともに、図３に示したレイヤデータ２３ａに画像データ２３ｂの各情報を登録する処理部である。
【００４４】
具体的には、レイヤ情報管理部２４は、端末装置３０ａ〜３０ｅから質問画像４２ａ〜４２ｅのデータを受信した場合に、質問画像４２ａ〜４２ｅに重複しない画像名を割り当てて、割り当てた画像名をレイヤデータ２３ａに登録する。
【００４５】
また、レイヤ情報管理部２４は、プレゼンテーション画像の各ページの画像に１のレイヤ番号を付与し、各質問画像４２ａ〜４２ｅには、２以上で、端末装置３０ａ〜３０ｅから受信した時点が遅いほど大きくなるレイヤ番号を付与し、付与したレイヤ番号をレイヤデータ２３ａに登録する。さらに、レイヤ情報管理部２４は、各画像のファイル名をレイヤデータ２３ａに登録する。
【００４６】
画像生成部２５は、レイヤデータ２３ａに登録されているレイヤ番号に基づいて、表示装置１０に表示させる画像のデータを生成する処理部である。具体的には、画像生成部２５は、質問画像４２ａ〜４２ｅのデータを、レイヤ番号が小さい順に記憶部２３から読み出し、読み出した各質問画像４２ａ〜４２ｅのデータと、各質問画像４２ａ〜４２ｅに対応するプレゼンテーション画像のページの画像データとを合成することにより、表示装置１０に表示させる画像のデータを生成する。
【００４７】
表示制御部２６は、画像生成部２５により生成されたデータを出力インターフェース部２１を介して表示装置１０に出力し、そのデータに基づいて、画像を表示装置１０に表示させる。
【００４８】
図５は、表示装置１０における画像の表示の一例について説明する図である。図５（Ａ）には、プレゼンテーションが行われている間に、表示制御装置２０が、端末装置３０ａ〜３０ｅから質問画像５までを受信した場合における各レイヤの状態が示されている。ここで、図５の最前面のレイヤは、図３で説明したレイヤ番号が１のレイヤに対応し、その最前面のレイヤからｎ（ｎは自然数）だけ後ろのレイヤは、レイヤ番号がｎ＋１のレイヤに対応する。
【００４９】
最初の状態においては、図３に示したように、レイヤ番号が１のレイヤに、プレゼンテーション画像４０の１ページ目の画像が対応付けられる。これにより、表示装置１０には、プレゼンテーション画像４０の１ページ目の画像が表示される。また、レイヤ番号が２〜６のレイヤには、質問画像１〜５が対応付けられる。
【００５０】
図５（Ｂ）には、プレゼンテーション画像４０とともに最初の質問画像４２ａを表示する際の各レイヤの状態が示されている。最初の質問画像４２ａを表示する際には、表示制御部２６はまず、図５（Ｂ）に示すように、プレゼンテーション画像４０と質問画像４２ａとの合成質問画像１のレイヤ番号を１に設定し、その合成質問画像１を最前面のレイヤに対応付ける。
【００５１】
これにより、表示装置１０には、プレゼンテーション画像４０と質問画像４２ａとの合成質問画像１が表示される。また、表示制御部２６は、プレゼンテーション画像４０のレイヤ番号を２に設定し、質問画像２〜５のレイヤ番号をそれぞれ３〜６に設定する。
【００５２】
また、図５（Ｃ）には、プレゼンテーション画像４０とともに最後の質問画像４２ｅを表示する際の各レイヤの状態が示されている。最後の質問画像４２ｅを表示する際には、表示制御部２６はまず、図５（Ｃ）に示すように、プレゼンテーション画像４０と質問画像４２ｅとの合成質問画像５のレイヤ番号を１に設定し、その合成質問画像５を最前面のレイヤに対応付ける。
【００５３】
これにより、表示装置１０には、プレゼンテーション画像４０と質問画像４２ｅとの合成質問画像５が表示される。また、表示制御部２６は、プレゼンテーション画像４０のレイヤ番号を２に設定し、合成質問画像１〜４のレイヤ番号をそれぞれ３〜６に設定する。合成画像２〜４は、質問画像４２ｂ〜４２ｄをそれぞれプレゼンテーション画像４０と合成した画像である。
【００５４】
このように、表示制御部２６は、各画像のレイヤ番号を変更することにより、表示装置１０に各画像を順次表示させる。このようにして、各質問画像４２ａ〜４２ｅをプレゼンテーション画像４０に重畳して順次表示させることとしたので、質問に関連するプレゼンテーション画像４０の箇所を発表者が探し出す作業が不要となる。
【００５５】
また、質問画像４２ａ〜４２ｄ、および、他の質問に対する追加の質問の質問画像４２ｅを、プレゼンテーション画像４０に重畳して表示装置１０に表示させることとしたので、追加の質問についても、その追加の質問に関連するプレゼンテーション画像４０の箇所を発表者が探し出す作業が不要となる。
【００５６】
また、質問がプレゼンテーション画像４０の前面に表示され、発表者がプレゼンテーション画像４０において質問と関連する箇所を明確に認識できるようになるため、発表者が質問者の意図を誤って解釈することを防止できる。
【００５７】
また、例えば、図４の質問画像４２ｄ、４２ｅのように、質問が記載された位置が重なる場合であっても、質問画像４２ｄ、４２ｅが順次別々に表示装置１０に表示されるので、発表者が質問を把握しにくくなることを防止できる。また、質問画像４２ａ〜４２ｅが順次別々に表示装置１０に表示されることにより、発表者は全質問内容を把握できるので、質問に対する応答を効率的に行うことができる。
【００５８】
図２の説明に戻ると、端末装置３０ａは、通信部３１ａ、操作部３２ａ、表示部３３ａ、記憶部３４ａ、制御部３５ａを備える。
【００５９】
通信部３１ａは、ＬＡＮなどのネットワークを介して、表示制御装置２０との間で通信を行う処理部である。操作部３２ａは、キーボードやマウス、タッチパネルなどの、聴講者からの操作を受け付ける入力デバイスである。例えば、操作部３２ａは、聴講者からの質問の入力を受け付ける。表示部３３ａは、種々の情報を表示する液晶ディスプレイなどの表示デバイスである。
【００６０】
図６は、質問の入力を受け付ける質問画面５０について説明する図である。質問画面５０は、聴講者による操作部３２ａの操作により起動される。この質問画面５０には、画像表示領域５１、質問入力ボタン５２、表示画像選択プルダウンメニュー５３、質問画像名表示欄５４、質問送信ボタン５５が含まれる。
【００６１】
画像表示領域５１は、プレゼンテーション画像４０や、表示制御装置２０から送信された質問画像４２ｂ〜４２ｅが表示される。また、画像表示領域５１は、聴講者による質問の入力を受け付ける領域である。聴講者は、マウスやキーボード等を操作して、質問の入力を行う。
【００６２】
質問入力ボタン５２は、聴講者からの質問の入力要求を受け付けるボタンである。聴講者は、マウス等で質問入力ボタン５２をクリックすることにより質問の入力要求を行う。
【００６３】
表示画像選択プルダウンメニュー５３は、画像表示領域５１に表示する画像の選択を聴講者から受け付けるプルダウンメニューである。聴講者が表示画像選択プルダウンメニュー５３をマウス等でクリックすると、表示制御装置２０から受信したプレゼンテーション画像４０や質問画像４２ａ〜４２ｅの選択を受け付けるプルダウンメニューが表示され、プレゼンテーション画像４０や質問画像４２ａ〜４２ｅを選択することが可能となる。そして、ここで選択されたプレゼンテーション画像４０や質問画像４２ａ〜４２ｅが画像表示領域５１に表示される。
【００６４】
なお、質問画像４２ａ〜４２ｅは、プレゼンテーション画像４０のレイヤの前面に生成された新たな透明レイヤに表示される。これにより、プレゼンテーション画像４０と質問画像４２ａ〜４２ｅに含まれる質問とが重畳して表示される。
【００６５】
質問画像名表示欄５４は、聴講者が質問入力ボタン５２をマウス等でクリックし、質問の入力要求を行った場合に、聴講者により入力された質問情報から生成される画像の画像名の情報である。この画像名は、端末装置３０の制御部３５ａにより割り当てられるか、あるいは、聴講者から画像名の入力を受け付けて決定される。
【００６６】
質問送信ボタン５５は、聴講者により入力された質問情報から生成される画像データの表示制御装置２０への送信指示を聴講者から受け付けるボタンである。聴講者は、マウス等で質問送信ボタン５５をクリックすることにより送信指示を行う。
【００６７】
図７は、端末装置３０ａ〜３０ｅが追加の質問の入力を受け付ける処理について説明する図である。質問画面５０に表示される画像表示領域５１、質問入力ボタン５２、表示画像選択プルダウンメニュー５３、質問画像名表示欄５４、質問送信ボタン５５については、図６で説明したものと同様である。
【００６８】
例えば、図４に示したプレゼンテーション画像４０とともに、質問画像４２ａを表示制御装置２０から受信し、質問画像４２ａに対する追加の質問を聴講者が行う場合について考える。ここで、質問画像４２ａの画像名は「質問画像１」であるものとする。
【００６９】
この場合、聴講者は、マウス等の操作により、表示画像選択プルダウンメニュー５３から質問画像４２ａの画像名である「質問画像１」を選択し、画像表示領域５１に質問画像４２ａを表示させる。この場合、質問画像４２ａと同時に、プレゼンテーション画像４０が質問画像４２ａと重畳されて表示される。
【００７０】
そして、聴講者が、マウス等で質問入力ボタン５２をクリックすることにより質問入力要求を行うと、質問画像名表示欄５４に追加の質問情報から生成される画像の画像名「質問画像５」が表示され、画像表示領域５１における追加の質問の入力が可能となる。図７の例では、質問画像４２ａに対して、下線や矢印、文字列が新たに追加されている。
【００７１】
そして、聴講者がマウス等で質問送信ボタン５５をクリックすると、もとの質問画像４２ａと聴講者により入力された追加の質問情報とが合成された画像データが表示制御装置２０に送信される。
【００７２】
図２の説明に戻ると、表示部３３ａは、液晶ディスプレイなどの表示デバイスである。記憶部３４ａは、メモリやハードディスク装置などの記憶デバイスである。記憶部３４ａは、端末装置３０ａが備えるハードウェア各部の動作を制御する制御プログラムや、図６、図７に示したような操作画面を端末装置３０ａに表示させるためのアプリケーションプログラム、表示制御装置２０から受信した画像データ、表示制御装置２０に送信し、表示装置１０に表示させる画像データなどを記憶する。
【００７３】
なお、表示装置１０に表示させる画像データは、図４に示したような聴講者により入力された質問の質問画像４２ａ〜４２ｅのデータに限られず、予め記憶部３４ａに記憶させておいた画像データや、通信部３１ａを介して他の装置から取得した画像データであってもよい。
【００７４】
制御部３５ａは、図６、図７で説明した画面の表示や画像データの送受信の制御処理、画像データの合成処理などを行うＣＰＵ（Central Processing Unit）などの処理部である。
【００７５】
つぎに、本発明の実施形態に係るプレゼンテーション支援処理の処理手順について説明する。図８、図９は、本発明の実施形態に係るプレゼンテーション支援処理の処理手順の一例について示すフローチャートである。図８に示す処理は、表示制御装置２０が行う処理であり、図９に示す処理は、端末装置３０ａが行う処理である。まず、図８に示す処理から説明する。
【００７６】
図８に示すように、まず、表示制御装置２０の表示制御部２６は、表示装置１０を制御して、表示装置１０にプレゼンテーション画像４０の１ページ目を表示させる（ステップＳ１０１）。そして、通信部２２は、そのプレゼンテーション画像４０の１ページ目の画像を各端末装置３０ａ〜３０ｅに送信する（ステップＳ１０２）。
【００７７】
その後、レイヤ情報管理部２４は、各端末装置３０ａ〜３０ｄから質問画像４２ａ〜４２ｄを受信したか否かを判定する（ステップＳ１０３）。質問画像４２ａ〜４２ｄを受信した場合（ステップＳ１０３においてＹＥＳの場合）、レイヤ情報管理部２４は、受信した質問画像４２ａ〜４２ｄを記憶部２３に記憶する（ステップＳ１０６）。
【００７８】
そして、レイヤ情報管理部２４は、レイヤデータ２３ａを更新する（ステップＳ１０７）。具体的には、レイヤ情報管理部２４は、レイヤデータ２３ａに受信した質問画像４２ａ〜４２ｄの画像名、レイヤ番号、ファイル名の情報を登録する。
【００７９】
ここで、各質問画像４２ａ〜４２ｅのレイヤ番号は、通信部２２が端末装置３０ａ〜３０ｅから質問画像４２ａ〜４２ｅを受信した順に１ずつ大きくなる。また、プレゼンテーション画像４０の画像名、レイヤ番号、ファイル名の情報については、プレゼンテーション画像４０のデータが記憶部２３に記憶された際に、レイヤ情報管理部２４により予め登録される。
【００８０】
その後、通信部２２は、受信した質問画像４２ａ〜４２ｄのデータを、その質問画像４２ａ〜４２ｄを送信した端末装置３０ａ〜３０ｄ以外の端末装置３０ａ〜３０ｅに送信する（ステップＳ１０８）。その後、ステップＳ１０３以降の処理が実行される。
【００８１】
なお、ここでは、質問画像４２ａ〜４２ｄのデータを、質問画像４２ａ〜４２ｄを送信した端末装置３０ａ〜３０ｄ以外の端末装置３０ａ〜３０ｅに送信することとしたが、質問画像４２ａ〜４２ｄを送信した端末装置３０ａ〜３０ｄにも送信することとしてもよい。
【００８２】
ステップＳ１０３において、各端末装置３０ａ〜３０ｄから質問画像４２ａ〜４２ｄを受信していない場合（ステップＳ１０３においてＮＯの場合）、その時点で表示装置１０に表示されている画像がプレゼンテーション画像４０の最後のページの画像か否かを判定する（ステップＳ１０４）。
【００８３】
その時点で表示装置１０に表示されている画像がプレゼンテーション画像４０の最後のページの画像でない場合（ステップＳ１０４においてＮＯの場合）、表示制御部２６は、記憶部２３からつぎのページの画像データを読み出す（ステップＳ１０９）。そして、そのページの画像データに対して、ステップＳ１０１以降の処理が実行される。
【００８４】
その時点で表示装置１０に表示されている画像がプレゼンテーション画像４０の最後のページの画像であった場合（ステップＳ１０４においてＹＥＳの場合）、表示制御部２６は、表示装置１０を制御して、各質問画像をプレゼンテーション画像と重畳して順次表示させる（ステップＳ１０５）。発表者は、各質問画像が表示されている間に、表示されている質問画像に関連する質問を聴講者から口頭で受け付ける。
【００８５】
つぎに、図９に示す処理について説明する。図９に示すように、端末装置３０ａの通信部３１ａは、画像データを表示制御装置２０から受信する（ステップＳ２０１）。そして、表示部３３ａは、受信した画像データに対応する画像を表示する。
【００８６】
ここで、この画像データは、図８のステップＳ１０２の処理において送信されたプレゼンテーション画像４０の画像データ、または、ステップＳ１０８の処理において送信された質問画像４２ａ〜４２ｄの画像データである。
【００８７】
その後、制御部３５ａは、聴講者から質問の入力要求を受け付けたか否かを判定する（ステップＳ２０３）。聴講者は、マウス等を操作して、図６、図７に示した質問入力ボタン５２をクリックすることにより質問の入力要求を行う。
【００８８】
質問の入力要求を受け付けなかった場合（ステップＳ２０３においてＮＯの場合）、制御部３５ａは、端末装置３０ａ側の処理を終了する指示を聴講者から受け付けたか否かを判定する（ステップＳ２１０）。
【００８９】
端末装置３０ａ側の処理を終了する指示を聴講者から受け付けた場合（ステップＳ２１０においてＹＥＳの場合）、この端末装置３０ａ側の処理は終了する。端末装置３０ａ側の処理を終了する指示を聴講者から受け付けていない場合（ステップＳ２１０においてＮＯの場合）、ステップＳ２０１以降の処理が実行される。
【００９０】
ステップＳ２０３において、聴講者から質問の入力要求を受け付けた場合（ステップＳ２０３においてＹＥＳの場合）、制御部３５ａは、最前面に新規レイヤを生成する（ステップＳ２０４）。この新規レイヤの情報は、記憶部３４ａに一時的に記憶される。
【００９１】
そして、制御部３５ａは、生成した新規レイヤにおける質問の入力を受け付ける（ステップＳ２０５）。その後、制御部３５ａは、質問が追加の質問か否かを判定する（ステップＳ２０６）。
【００９２】
具体的には、表示制御装置２０から受信した質問画像４２ａ〜４２ｄが表示された状態で聴講者から質問の入力要求を受け付けた場合、制御部３５ａは、質問が追加の質問であると判定する。
【００９３】
一方、表示制御装置２０から受信したプレゼンテーション画像４０が表示された状態で聴講者から質問の入力要求を受け付けた場合、制御部３５ａは、質問が追加の質問ではなく、通常の質問であると判定する。
【００９４】
質問が追加の質問でない場合（ステップＳ２０６においてＮＯの場合）、制御部３５ａは、入力された質問から質問画像（例えば、図４に示す質問画像４２ａ）のデータを生成する（ステップＳ２０７）。
【００９５】
質問が追加の質問である場合（ステップＳ２０６においてＹＥＳの場合）、制御部３５ａは、質問画像と入力された追加の質問とから、もとの質問画像と追加の質問の画像とを合成した質問画像（例えば、図４に示す質問画像４２ｅ）のデータを生成する（ステップＳ２０８）。この質問画像は、記憶部３４ａに一時的に記憶される。
【００９６】
その後、通信部３１ａは、生成された質問画像のデータを表示制御装置２０に送信する（ステップＳ２０９）。表示制御装置２０は、この質問画像のデータを受信し、図８のステップＳ１０３以降の処理を実行することになる。そして、図９のステップＳ２０９の処理の後、前述したステップＳ２１０以降の処理が実行される。
【００９７】
さて、これまでプレゼンテーション支援システム、および、プレゼンテーション支援方法の実施形態を中心に説明を行ったが、本発明はこれらの実施形態に限定されるものではなく、これまでプレゼンテーション支援システムに含まれる各装置の機能を実現するためのコンピュータプログラムとしての形態、あるいは、当該コンピュータプログラムが記録されたコンピュータ読み取り可能な記録媒体の形態として本発明が実施されることとしてもよい。
【００９８】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００９９】
これら記録媒体に上記実施形態におけるプレゼンテーション支援システムに含まれる各装置の機能を実現させるコンピュータプログラム、または、プレゼンテーション支援方法をコンピュータに実行させるコンピュータプログラムを記録して流通させることにより、コストの低廉化、及び可搬性や汎用性を向上させることができる。
【０１００】
そして、コンピュータに上記記録媒体を装着し、コンピュータにより記録媒体に記録されたコンピュータプログラムを読み出してメモリに格納し、コンピュータが備えるプロセッサ（ＣＰＵ、ＭＰＵ：Micro Processing Unit）が当該コンピュータプログラムをメモリから読み出して実行することにより、本実施形態に係るプレゼンテーション支援システムに含まれる各装置の機能を実現し、プレゼンテーション支援方法を実行することができる。
【０１０１】
また、本発明は上述した実施形態に限定されず、本発明の要旨を逸脱しない範囲内で各種の変形、修正が可能である。
【符号の説明】
【０１０２】
１０…表示装置、１１…入力インターフェース部、１２…制御部、１３…表示部、２０…表示制御装置、２１…出力インターフェース部、２２…通信部、２３…記憶部、２３ａ…レイヤデータ、２３ｂ…画像データ、２３ｃ…プログラムデータ、２４…レイヤ情報管理部、２５…画像生成部、２６…表示制御部、３０ａ〜３０ｅ…端末装置、３１ａ…通信部、３２ａ…操作部、３３ａ…表示部、３４ａ…記憶部、３５ａ…制御部、４０…プレゼンテーション画像、４１ａ〜４１ｅ…画面、４２ａ〜４２ｅ…質問画像、５０…質問画面、５１…画像表示領域、５２…質問入力ボタン、５３…表示画像選択プルダウンメニュー、５４…質問画像名表示欄、５５…質問送信ボタン。
【図１】
2014021808.tif 000003
【図２】
2014021808.tif 000004
【図３】
2014021808.tif 000005
【図４】
2014021808.tif 000006
【図５】
2014021808.tif 000007
【図６】
2014021808.tif 000008
【図７】
2014021808.tif 000009
【図８】
2014021808.tif 000010
【図９】
2014021808.tif 000011